(57)【要約】【課題】１フレーム映像を分割して得られる複数の第１〜第ｎ映像を、映像出力装置から表示装置に複数チャネルで伝送する場合の、両装置間の接続の煩雑さを解消する。【解決手段】  ｎを２以上の整数とし、第１〜第ｎ伝送路を介して映像出力装置に接続することが可能な表示装置であって、ｍを１〜ｎの整数とし、表示部の複数の画素を第１〜第ｎグループにグループ分けしたときの第ｍグループに属する複数の画素に関する第ｍグループ情報を、第ｍ伝送路に送信する。【選択図】図１
2013246425.tif 000002
【特許請求の範囲】
【請求項１】
ｎを２以上の整数として、第１〜第ｎ伝送路を介して映像出力装置に接続することが可能な表示装置であって、
ｍを１〜ｎの整数とし、表示部の複数の画素を第１〜第ｎグループにグループ分けしたときの第ｍグループに属する複数の画素に関する第ｍグループ情報を、第ｍ伝送路に送信する表示装置。
【請求項２】
第ｍグループに属する複数の画素が、表示部を第１〜第ｎ領域に分割したときの第ｍ領域に集まっている請求項１記載の表示装置。
【請求項３】
上記第ｍグループ情報は、表示部内における第ｍ領域の位置を指定する位置指定データである請求項２記載の表示装置。
【請求項４】
表示部を、それぞれがｎ個の画素からなる複数のブロックに分割したときに、
第ｍグループに属する複数の画素が、互いに異なるブロックに分散している請求項１記載の表示装置。
【請求項５】
第ｍグループ情報は、各ブロックにおける第ｍ番目の画素の位置を指定する位置指定データである請求項４記載の表示装置。
【請求項６】
上記位置指定データは、ＥＤＩＤ（Extended Display identification Date）に含まれる請求項３または５記載の表示装置。
【請求項７】
上記第ｍ伝送路からの入力状況に問題が生じている場合に、第ｍ伝送路にリトライ信号を送信する請求項１記載の表示装置。
【請求項８】
第ｍ伝送路にリトライ信号を送信した後も上記問題が解消されない場合に、第ｍグループに対応する擬似信号を自ら生成し、フェールセーフ表示を行う請求項７記載の表示装置。
【請求項９】
請求項１に記載の表示装置に上記第１〜第ｎ伝送路を介して接続することが可能な映像出力装置であって、
上記表示装置から第１〜第ｎ伝送路を介して得られた第１〜第ｎグループ情報に基づいて、１フレーム映像を第１〜第ｎ映像に分割し、
ｍを１〜ｎの整数として、第ｍ伝送路に、第ｍグループ情報に対応する第ｍ映像を出力する映像出力装置。
【請求項１０】
上記第ｍ映像が高精細度テレビジョン放送の映像規格を超える画素数を含む請求項９記載の映像出力装置。
【請求項１１】
上記第ｍ映像は、１フレーム映像と同一精細度の１／ｎ部分映像である請求項９記載の映像出力装置。
【請求項１２】
上記第ｍ映像は、１フレーム映像の１／ｎの精細度の全体映像である請求項９記載の映像出力装置。
【請求項１３】
上記第ｍ伝送路がＨＤＭＩ（High-definition Multimedia Interface）規格である請求項９に記載の映像出力装置。
【請求項１４】
第ｍ伝送路の入力状況に問題が生じていることを示すリトライ信号を表示装置から受信した場合に、第ｍグループ情報に対応する第ｍ映像を再度出力する請求項９記載の映像出力装置。
【発明の詳細な説明】
【技術分野】
【０００１】
本発明は映像の出力および表示に関する。
【背景技術】
【０００２】
現行の高精細度テレビジョン放送（High Definition television：ＨＤＴＶ）の画素数は、横１９２０×縦１０８０（いわゆる２Ｋ１Ｋ）であるが、このＨＤＴＶの４倍の画素数（いわゆる４Ｋ２Ｋ）あるいは１６倍の画素数（いわゆる８Ｋ４Ｋ）の映像規格（スーパーハイビジョンＳＨＶもこの１つ）が提唱されている。
【０００３】
特許文献１には、１フレーム（画素数はＨＤＴＶの画素数を越える）のフレームデータを分割して得られる複数の映像データを、それぞれに対応する複数のチャネル（各チャネルはＨＤ−ＳＤＩ規格）で伝送する構成が開示されている。
【先行技術文献】
【特許文献】
【０００４】
【特許文献１】特開２００９−１３０６３９号公報
【発明の概要】
【発明が解決しようとする課題】
【０００５】
このように、１フレーム映像を映像出力装置から表示装置間に複数のチャネルで伝送する場合、映像出力装置および表示装置間の接続関係が煩雑になる。本発明は、このような煩雑さを解消することを目的とする。
【課題を解決するための手段】
【０００６】
本表示装置は、ｎを２以上の整数として、第１〜第ｎ伝送路を介して映像出力装置に接続することが可能な表示装置であって、ｍを１〜ｎの整数とし、表示部の複数の画素を第１〜第ｎグループにグループ分けしたときの第ｍグループに属する複数の画素に関する第ｍグループ情報を、第ｍ伝送路に送信する。
【０００７】
本表示装置では、第ｍグループに属する複数の画素が、表示部を第１〜第ｎ領域に分割したときの第ｍ領域に集まっている構成とすることもできる。
【０００８】
本表示装置では、上記第ｍグループ情報は、表示部内における第ｍ領域の位置を指定する位置指定データである構成とすることもできる。
【０００９】
本表示装置では、表示部を、それぞれがｎ個の画素からなる複数のブロックに分割したときに、第ｍグループに属する複数の画素が、互いに異なるブロックに分散している構成とすることもできる。
【００１０】
本表示装置では、第ｍグループ情報は、各ブロックにおける第ｍ番目の画素の位置を指定する位置指定データである構成とすることもできる。
【００１１】
本表示装置では、上記位置指定データは、ＥＤＩＤ（Extended Display identification Date）に含まれる構成とすることもできる。
【００１２】
本表示装置では、上記第ｍ伝送路からの入力状況に問題が生じている場合に、第ｍ伝送路にリトライ信号を送信する構成とすることもできる。
【００１３】
本表示装置では、第ｍ伝送路にリトライ信号を送信した後も上記問題が解消されない場合に、第ｍグループに対応する擬似信号を自ら生成し、フェールセーフ表示を行う構成とすることもできる。
【００１４】
本映像出力装置は、請求項１に記載の表示装置に上記第１〜第ｎ伝送路を介して接続することが可能な映像出力装置であって、上記表示装置から第１〜第ｎ伝送路を介して得られた第１〜第ｎグループ情報に基づいて、１フレーム映像を第１〜第ｎ映像に分割し、ｍを１〜ｎの整数として、第ｍ伝送路に、第ｍグループ情報に対応する第ｍ映像を出力する。
【００１５】
本映像出力装置では、上記第ｍ映像が高精細度テレビジョン放送の映像規格を超える画素数を含む構成とすることもできる。
【００１６】
本映像出力装置では、上記第ｍ映像は、１フレーム映像と同一精細度の１／ｎ部分映像である構成とすることもできる。
【００１７】
本映像出力装置では、上記第ｍ映像は、１フレーム映像の１／ｎの精細度の全体映像である構成とすることもできる。
【００１８】
本映像出力装置では、上記第ｍ伝送路がＨＤＭＩ（High-definition Multimedia Interface）規格である構成とすることもできる。
【００１９】
本映像出力装置では、第ｍ伝送路の入力状況に問題が生じていることを示すリトライ信号を表示装置から受信した場合に、第ｍグループ情報に対応する第ｍ映像を再度出力する構成とすることもできる。
【発明の効果】
【００２０】
本発明によれば、１フレーム映像を映像出力装置から表示装置間に複数のチャネルで伝送する場合に、映像出力装置および表示装置間の接続の煩雑さが解消される。
【図面の簡単な説明】
【００２１】
【図１】実施例１の表示装置の構成を示す模式図である。
【図２】実施例１の映像出力装置の構成を示す模式図である。
【図３】実施例１の表示装置と映像出力装置との接続状態を示す模式図である。
【図４】実施例１の位置指定データの内容を示す模式図である。
【図５】実施例１の映像出力装置の機能を示す模式図である。
【図６】図３の後の表示装置および映像出力装置の状態を示す模式図である。
【図７】図３の接続関係を変更した状態を示す模式図である。
【図８】図６の接続関係を変更した状態を示す模式図である。
【図９】表示装置での問題発生時の状態を示す模式図である。
【図１０】実施例１の表示装置の問題対処法（リトライ信号）を示す模式図である。
【図１１】実施例１の表示装置のフェールセーフ表示を示す模式図である。
【図１２】実施例２の表示装置と映像出力装置との接続状態を示す模式図である。
【図１３】実施例２の位置指定データの内容を示す模式図である。
【図１４】実施例２の映像出力装置の機能を示す模式図である。
【図１５】図１２の後の表示装置および映像出力装置の状態を示す模式図である。
【図１６】図１２の接続関係を変更した状態を示す模式図である。
【図１７】図１５の接続関係を変更した状態を示す模式図である。
【図１８】実施例１・２の表示装置の変形例を示す模式図である。
【図１９】実施例３の表示装置の構成を示す模式図である。
【図２０】実施例３の表示装置と映像出力装置との接続状態を示す模式図である。
【図２１】実施例３の位置指定データの内容を示す模式図である。
【図２２】図２０の後の表示装置および映像出力装置の状態を示す模式図である。
【図２３】実施例４の表示装置と映像出力装置との接続状態を示す模式図である。
【図２４】実施例４の位置指定データの内容を示す模式図である。
【図２５】実施例４の映像出力装置の機能を示す模式図である。
【図２６】図２３の後の表示装置および映像出力装置の状態を示す模式図である。
【図２７】実施例３・４の表示装置の変形例を示す模式図である
【発明を実施するための形態】
【００２２】
本発明の実施の形態を、図１〜２７を用いて説明すれば、以下のとおりである。
【００２３】
〔実施例１〕
図１に示すように、実施例１の表示装置１は、インターフェース回路ＩＦと、メモリＲと、映像処理回路ＩＰＣと、タイミングコントローラＴＣ１〜ＴＣ４と、ゲートドライバＧＤおよびソースドライバＳＤと、表示部ＤＰＳを含む液晶パネルＬＣＰと、バックライトＢＬとを備える。液晶パネルＬＣＰは、例えば、横３８４０画素または４０９６画素×縦２１６０画素のいわゆる４Ｋ２Ｋパネル（超高精細液晶パネル）であり、表示部ＤＰＳは領域ＡＲ１〜ＡＲ４に４分割されている。なお、メモリＲ（例えば、ＥＥＰＲＯＭ）にはディスプレイ情報であるＥＤＩＤ（Extended Display identification Date）が格納され、このＥＤＩＤには、通常、ディスプレイ項目、タイミング特性、カラー特性および対応解像度を示すデータが含まれている。
【００２４】
また、図２に示すように、実施例１の映像出力装置２は、インターフェース回路ｉｆと、映像生成回路ｉｇｃとを備え、図３に示すように、表示装置１のインターフェース回路ＩＦと映像出力装置２のインターフェース回路ｉｆとが４本の伝送路（チャネル、ケーブル）Ｔ１〜Ｔ４によって接続される。各伝送路は、例えば、ＨＤＭＩ（High-definition Multimedia Interface）規格である。
【００２５】
ここで、表示装置１のメモリＲのＥＤＩＤには、領域ＡＲｍ（ｍは１〜４の整数）の位置を指定する位置指定データＫｍが含まれており、インターフェース回路ＩＦは、このＥＤＩＤに含まれる位置指定データＫｍを伝送路Ｔｍに送信する。すなわち、インターフェース回路ＩＦは、伝送路Ｔ１に、領域ＡＲ１の位置を指定する位置指定データＫ１を送信し、伝送路Ｔ２に、領域ＡＲ２の位置を指定する位置指定データＫ２を送信し、伝送路Ｔ３に、領域ＡＲ３の位置を指定する位置指定データＫ３を送信し、伝送路Ｔ４に、領域ＡＲ４の位置を指定する位置指定データＫ４を送信する。
【００２６】
図４に示すように、位置指定データＫｍは、表示部の座標によって領域ＡＲｍの位置を指定するものであり、位置指定データＫｍで指定される領域ＡＲｍは、２Ｋ×１Ｋ個の画素（第ｍグループ）が含まれる。例えば、Ｋ１には、座標（Ｘ０，Ｙ０）および座標（Ｘ１，Ｙ１）が含まれ、Ｋ１によって領域ＡＲ１（第１グループＧｒ１である２Ｋ×１Ｋ個の画素からなる）が指定される。また、Ｋ２には、座標（Ｘ１，Ｙ０）および座標（Ｘ２，Ｙ１）が含まれ、Ｋ２によって領域ＡＲ２（第２グループＧｒ２である２Ｋ×１Ｋ個の画素からなる）が指定される。Ｋ３、Ｋ４についての同様である。
【００２７】
位置指定データＫ１〜Ｋ４は、映像出力装置２のインターフェース回路ｉｆに入力される。映像生成回路ｉｇｃは、Ｋ１〜Ｋ４に基づいて、図５に示すように、フレーム映像ＦＩＭ（画素数は４Ｋ×２Ｋ）を、ＦＩＭと同じ精細度をもつ４つの部分映像ＩＭ１〜ＩＭ４（画素数は２Ｋ×１Ｋ）に分割し、部分映像ＩＭ１〜ＩＭ４に対応する映像データＤ１〜Ｄ４を生成する。さらに、映像生成回路ｉｇｃは、図６に示すように、インターフェース回路ｉｆを介して、伝送路Ｔ１〜Ｔ４それぞれに、対応する映像データＤ１〜Ｄ４を出力する。
【００２８】
映像データＤ１〜Ｄ４は、インターフェース回路ＩＦを介して映像処理回路ＩＰＣに入力される。映像データＤ１〜Ｄ４を受けた映像処理回路ＩＰＣとタイミングコントローラＴＣ１〜ＴＣ４は、協働して領域ＡＲ１〜ＡＲ４それぞれに対応する制御信号（映像信号およびタイミング信号）を生成し、これらをゲートドライバＧＤおよびソースドライバＳＤに出力する。
【００２９】
そして、ゲートドライバＧＤおよびソースドライバＳＤは、タイミングコントローラＴＣ１からの制御信号を受けて領域ＡＲ１の各画素を駆動し、タイミングコントローラＴＣ２からの制御信号を受けて領域ＡＲ２の各画素を駆動し、タイミングコントローラＴＣ３からの制御信号を受けて領域ＡＲ３の各画素を駆動し、タイミングコントローラＴＣ４からの制御信号を受けて領域ＡＲ４の各画素を駆動し、これによって、図６のような表示となる。
【００３０】
実施例１によれば、図３および図６〜図８に示すように、表示装置１のインターフェース回路ＩＦと映像出力装置２のインターフェース回路ｉｆとの接続関係をどのように変えても、また、表示部の領域の分け方に関わらず、インターフェース回路ＩＦには、表示部の領域分け（表示部の画素のグループ分け）に適合した映像データＤ１〜Ｄ４が入力され、正しい表示がなされる。したがって、１フレーム映像を映像出力装置から表示装置間に複数のチャネルで伝送する場合の、映像出力装置および表示装置間の接続の煩雑さが解消される。
【００３１】
表示装置１では、１以上の伝送路からの入力状況に問題が生じている場合は、問題が生じている伝送路に、映像データフォーマットの非適合やラインコンディションの不良を示すリトライ信号を送信する。例えば図９・１０に示すように、伝送路Ｔ３からの入力状況に問題が生じている場合は、伝送路Ｔ３にリトライ信号ＲＴを送信する。映像出力装置２は、伝送路Ｔ３からのリトライ信号ＲＴを受けて再度初期化を行い、伝送路Ｔ１〜Ｔ４に映像データＤ１〜Ｄ４を出力する。
【００３２】
リトライによって入力状況が解消されればよいが、それでも解消されない場合、表示装置１では、図１１に示すように、映像処理回路ＩＰＣとタイミングコントローラＴＣ３が協働して領域ＡＲ３に対応するダミー制御信号ＤＳ（擬似的な映像信号およびタイミング信号）を生成し、これらをゲートドライバＧＤおよびソースドライバＳＤに出力することでフェールセーフ表示を行う。こうすれば、いずれかの伝送路に問題が生じても画面全体が表示不能（表示装置全体が動作不全）となることが回避され、問題（入力障害）の原因追跡が容易になる。
【００３３】
〔実施例２〕
図１２に示す実施例２の表示装置１のメモリＲのＥＤＩＤには、図１３に示すように、表示部ＤＰＳを、それぞれが２行２列の４画素からなる多数のブロックに分割したときの各ブロックにおける第ｍ番目（ｍは１〜４の整数）の画素の位置を指定する位置指定データｋｍが含まれており、インターフェース回路ＩＦは、このＥＤＩＤに含まれる位置指定データｋｍを伝送路Ｔｍに送信する。すなわち、インターフェース回路ＩＦは、伝送路Ｔ１に、各ブロックにおける１番目の画素の位置を指定する位置指定データｋ１を送信し、伝送路Ｔ２に、各ブロックにおける２番目の画素の位置を指定する位置指定データｋ２を送信し、伝送路Ｔ３に、各ブロックにおける３番目の画素の位置を指定する位置指定データｋ３を送信し、伝送路Ｔ４に、各ブロックにおける４番目の画素の位置を指定する位置指定データｋ４を送信する。
【００３４】
図１３に示すように、位置指定データｋ１は、各ブロックの１行１列目に位置する１番目の画素（Ｐａ１〜Ｐａ４を含む、表示部全体に分散する２Ｋ×１Ｋ個の画素、第１グループＧｒ１）を指定するものである。また、位置指定データｋ２は、各ブロックの２行１列目に位置する２番目の画素（Ｐｂ１〜Ｐｂ４を含む、表示部全体に分散する２Ｋ×１Ｋ個の画素、第２グループＧｒ２）を指定するものである。また、位置指定データｋ３は、各ブロックの１行２列目に位置する３番目の画素（Ｐｃ１〜Ｐｃ４を含む、表示部全体に分散する２Ｋ×１Ｋ個の画素、第３グループＧｒ３）を指定するものである。また、位置指定データｋ４は、各ブロックの２行２列目に位置する４番目の画素（Ｐｄ１〜Ｐｄ４を含む、表示部全体に分散する２Ｋ×１Ｋ個の画素、第４グループＧｒ４）を指定するものである。
【００３５】
位置指定データｋ１〜ｋ４は、映像出力装置２のインターフェース回路ｉｆに入力される。映像生成回路ｉｇｃは、ｋ１〜ｋ４に基づいて、図１４に示すように、フレーム映像ＦＩＭ（画素数は４Ｋ×２Ｋ）を、ＦＩＭよりも低精細度の４つの全体映像ｉｍ１〜ｉｍ４（画素数は２Ｋ×１Ｋ）に分割し、（低精細）全体映像ｉｍ１〜ｉｍ４に対応する映像データｄ１〜ｄ４を生成する。さらに、映像生成回路ｉｇｃは、図１５に示すように、インターフェース回路ｉｆを介して、伝送路Ｔ１〜Ｔ４それぞれに、対応する映像データｄ１〜ｄ４を出力する。
【００３６】
映像データｄ１〜ｄ４は、インターフェース回路ＩＦを介して映像処理回路ＩＰＣに入力される。映像データｄ１〜ｄ４を受けた映像処理回路ＩＰＣとタイミングコントローラＴＣ１〜ＴＣ４は、協働して領域ＡＲ１〜ＡＲ４それぞれに対応する制御信号（映像信号およびタイミング信号）を生成し、これらをゲートドライバＧＤおよびソースドライバＳＤに出力する。
【００３７】
そして、ゲートドライバＧＤおよびソースドライバＳＤは、タイミングコントローラＴＣ１からの制御信号を受けて領域ＡＲ１の各画素を駆動し、タイミングコントローラＴＣ２からの制御信号を受けて領域ＡＲ２の各画素を駆動し、タイミングコントローラＴＣ３からの制御信号を受けて領域ＡＲ３の各画素を駆動し、タイミングコントローラＴＣ４からの制御信号を受けて領域ＡＲ４の各画素を駆動し、これによって、図１５のような表示となる。
【００３８】
実施例２によれば、図１２および図１５〜図１７に示すように、表示装置１のインターフェース回路ＩＦと映像出力装置２のインターフェース回路ｉｆとの接続関係をどのように変えても、また、ブロック内の画素配置の仕方に関わらず、インターフェース回路ＩＦには、ブロック内の画素配置（表示部の画素のグループ分け）に適合した映像データｄ１〜ｄ４が入力され、正しい表示がなされる。したがって、１フレーム映像を映像出力装置から表示装置間に複数のチャネルで伝送する場合の、映像出力装置および表示装置間の接続の煩雑さが解消される。
【００３９】
実施例１・２の表示装置１にはタイミングコントローラを４つ設けているがこれに限定されない。例えば図１８に示すようにタイミングコントローラを２つ（ＴＣＡ・ＴＣＢ）だけ設けても構わない。この場合、ゲートドライバＧＤおよびソースドライバＳＤは、タイミングコントローラＴＣＡからの制御信号を受けて領域ＡＲ１および領域ＡＲ２の各画素を駆動し、タイミングコントローラＴＣＢからの制御信号を受けて領域ＡＲ３および領域ＡＲ４の各画素を駆動する。
【００４０】
〔実施例３〕
図１９は、スーパーハイビジョン等に対応する４Ｋ２Ｋパネルを備えた表示装置の構成例であり、図２０は、図１９の表示装置と映像出力装置２との接続例を示している。
【００４１】
図２０の表示装置１のメモリＲのＥＤＩＤには、領域ＡＲｍ（ｍは１〜１６の整数）の位置を指定する位置指定データＫｍが含まれており、インターフェース回路ＩＦは、このＥＤＩＤに含まれる位置指定データＫｍを伝送路Ｔｍに送信する。
【００４２】
図２１に示すように、位置指定データＫｍは、表示部の座標によって領域ＡＲｍの位置を指定するものであり、位置指定データＫｍで指定される領域ＡＲｍは、２Ｋ×１Ｋ個の画素（第ｍグループ）が含まれる。例えば、Ｋ１には、座標（ｘ０，ｙ０）および座標（ｘ１，ｙ１）が含まれ、Ｋ１によって領域ＡＲ１（第１グループＧｒ１である２Ｋ×１Ｋ個の画素からなる）が指定される。また、Ｋ２には、座標（ｘ１，ｙ０）および座標（ｘ２，ｙ１）が含まれ、Ｋ２によって領域ＡＲ２（第２グループＧｒ２である２Ｋ×１Ｋ個の画素からなる）が指定される。Ｋ３〜Ｋ１６についての同様である。
【００４３】
位置指定データＫ１〜Ｋ１６は、映像出力装置２のインターフェース回路ｉｆに入力される。映像生成回路ｉｇｃは、Ｋ１〜Ｋ１６に基づいて、フレーム映像（画素数は４Ｋ×２Ｋ）を、フレーム映像と同じ精細度をもつ１６個の部分映像（各部分画像の画素数は２Ｋ×１Ｋ）に分割し、１６個の部分映像に対応する映像データＤ１〜Ｄ１６を生成する。さらに、映像生成回路ｉｇｃは、図２２に示すように、インターフェース回路ｉｆを介して、伝送路Ｔ１〜Ｔ１６それぞれに、対応する映像データＤ１〜Ｄ１６を出力する。
【００４４】
映像データＤ１〜Ｄ１６は、インターフェース回路ＩＦを介して映像処理回路ＩＰＣに入力される。映像データＤ１〜Ｄ１６を受けた映像処理回路ＩＰＣとタイミングコントローラＴＣ１〜ＴＣ１６は、協働して領域ＡＲ１〜ＡＲ１６それぞれに対応する制御信号（映像信号およびタイミング信号）を生成し、これらをゲートドライバＧＤおよびソースドライバＳＤに出力する。
【００４５】
実施例３の表示装置１および映像出力装置２によれば、表示装置１のインターフェース回路ＩＦと映像出力装置２のインターフェース回路ｉｆとの接続関係をどのように変えても、また、表示部の領域の分け方に関わらず、インターフェース回路ＩＦには、表示部の領域分け（表示部の画素のグループ分け）に適合した映像データＤ１〜Ｄ１６が入力され、正しい表示がなされる。したがって、１フレーム映像を映像出力装置から表示装置間に複数のチャネルで伝送する場合の、映像出力装置および表示装置間の接続の煩雑さが解消される。
【００４６】
〔実施例４〕
図２３に示す実施例４の表示装置１（４Ｋ２Ｋパネル搭載）のメモリＲのＥＤＩＤには、図２４に示すように、表示部ＤＰＳを、それぞれが４行４列の１６画素からなる多数のブロックに分割したときの各ブロックにおける第ｍ番目（ｍは１〜１６の整数）の画素の位置を指定する位置指定データｋｍが含まれており、インターフェース回路ＩＦは、このＥＤＩＤに含まれる位置指定データｋｍを伝送路Ｔｍに送信する。すなわち、インターフェース回路ＩＦは、伝送路Ｔ１に、各ブロックにおける１番目の画素の位置を指定する位置指定データｋ１を送信し、伝送路Ｔ２に、各ブロックにおける２番目の画素の位置を指定する位置指定データｋ２を送信する。位置指定データｋ３〜ｋ１６についても同様である。
【００４７】
図２４に示すように、例えば、位置指定データｋ１は、各ブロックの１行１列目に位置する１番目の画素（Ｐａ１〜Ｐａ４を含む、表示部全体に分散する２Ｋ×１Ｋ個の画素、第１グループＧｒ１）を指定するものである。例えば、位置指定データｋ２は、各ブロックの２行１列目に位置する２番目の画素（Ｐｂ１〜Ｐｂ４を含む、表示部全体に分散する２Ｋ×１Ｋ個の画素、第２グループＧｒ２）を指定するものである。例えば、位置指定データｋ１５は、各ブロックの３行４列目に位置する１５番目の画素（Ｐｏ１〜Ｐｏ４を含む、表示部全体に分散する２Ｋ×１Ｋ個の画素、第１５グループＧｒ１５）を指定するものである。例えば、位置指定データｋ１６は、各ブロックの４行４列目に位置する１６番目の画素（Ｐｐ１〜Ｐｐ４を含む、表示部全体に分散する２Ｋ×１Ｋ個の画素、第１６グループＧｒ１６）を指定するものである。
【００４８】
位置指定データｋ１〜ｋ１６は、映像出力装置２のインターフェース回路ｉｆに入力される。映像生成回路ｉｇｃは、ｋ１〜ｋ１６に基づいて、図２５に示すように、フレーム映像ＦＩＭ（画素数は４Ｋ×２Ｋ）を、ＦＩＭの精細度の１／１６の精細度をもつ１６個の全体映像ｉｍ１〜ｉｍ１６（画素数は２Ｋ×１Ｋ）に分割し、（低精細）全体映像ｉｍ１〜ｉｍ１６に対応する映像データｄ１〜ｄ１６を生成する。さらに、映像生成回路ｉｇｃは、図２６に示すように、インターフェース回路ｉｆを介して、伝送路Ｔ１〜Ｔ１６それぞれに、対応する映像データｄ１〜ｄ１６を出力する。
【００４９】
映像データｄ１〜ｄ１６は、インターフェース回路ＩＦを介して映像処理回路ＩＰＣに入力される。映像データｄ１〜ｄ１６を受けた映像処理回路ＩＰＣとタイミングコントローラＴＣ１〜ＴＣ１６は、協働して領域ＡＲ１〜ＡＲ１６それぞれに対応する制御信号（映像信号およびタイミング信号）を生成し、これらをゲートドライバＧＤおよびソースドライバＳＤに出力する。
【００５０】
そして、ゲートドライバＧＤおよびソースドライバＳＤは、タイミングコントローラＴＣ１〜ＴＣ１６からの制御信号を受けて、対応する領域ＡＲ１〜領域ＡＲ１６の各画素を駆動し、これによって、図２６のような表示となる。
【００５１】
実施例３・４の表示装置１にはタイミングコントローラを１６個設けているがこれに限定されない。例えば図２７に示すようにタイミングコントローラを４つ（ＴＣａ〜ＴＣｄ）にしてもよい。この場合、ゲートドライバＧＤおよびソースドライバＳＤは、タイミングコントローラＴＣａからの制御信号を受けて領域ＡＲ１〜領域ＡＲ４の各画素を駆動し、タイミングコントローラＴＣｂからの制御信号を受けて領域ＡＲ５〜領域ＡＲ８の各画素を駆動し、タイミングコントローラＴＣｃからの制御信号を受けて領域ＡＲ９〜領域ＡＲ１２の各画素を駆動し、タイミングコントローラＴＣｄからの制御信号を受けて領域ＡＲ１３〜領域ＡＲ１６の各画素を駆動する。
【００５２】
実施例４の表示装置１および映像出力装置２によれば、表示装置１のインターフェース回路ＩＦと映像出力装置２のインターフェース回路ｉｆとの接続関係をどのように変えても、また、ブロック内の画素配置の仕方に関わらず、インターフェース回路ＩＦには、ブロック内の画素配置（表示部の画素のグループ分け）に適合した映像データｄ１〜ｄ１６が入力され、正しい表示がなされる。したがって、１フレーム映像を映像出力装置から表示装置間に複数のチャネルで伝送する場合の、映像出力装置および表示装置間の接続の煩雑さが解消される。
【００５３】
本発明は上記の実施の形態に限定されるものではなく、上記実施の形態を公知技術や技術常識に基づいて適宜変更したものやそれらを組み合わせて得られるものも本発明の実施の形態に含まれる。また、各実施の形態で記載した作用効果等もほんの例示に過ぎない。
【産業上の利用可能性】
【００５４】
本発明は、例えば超高精細の液晶表示装置に好適である。
【符号の説明】
【００５５】
１  表示装置
２  映像出力装置
ＬＣＰ  液晶パネル
ＴＣ１〜ＴＣ１６  タイミングコントローラ
Ｔ１〜Ｔ１６  伝送路
ＩＦ  ｉｆ  インターフェース回路
Ｋ１〜Ｋ１６  位置指定データ
ｋ１〜ｋ１６  位置指定データ
Ｒ  メモリ
【図１】
2013246425.tif 000003
【図２】
2013246425.tif 000004
【図３】
2013246425.tif 000005
【図４】
2013246425.tif 000006
【図５】
2013246425.tif 000007
【図６】
2013246425.tif 000008
【図７】
2013246425.tif 000009
【図８】
2013246425.tif 000010
【図９】
2013246425.tif 000011
【図１０】
2013246425.tif 000012
【図１１】
2013246425.tif 000013
【図１２】
2013246425.tif 000014
【図１３】
2013246425.tif 000015
【図１４】
2013246425.tif 000016
【図１５】
2013246425.tif 000017
【図１６】
2013246425.tif 000018
【図１７】
2013246425.tif 000019
【図１８】
2013246425.tif 000020
【図１９】
2013246425.tif 000021
【図２０】
2013246425.tif 000022
【図２１】
2013246425.tif 000023
【図２２】
2013246425.tif 000024
【図２３】
2013246425.tif 000025
【図２４】
2013246425.tif 000026
【図２５】
2013246425.tif 000027
【図２６】
2013246425.tif 000028
【図２７】
2013246425.tif 000029